(57)【特許請求の範囲】
【請求項１】
眼鏡レンズ外側縁部に直接又は間接に固定される智部と、
該智部に回動可能に支持されるテンプル部とを有し、
前記テンプル部は、該テンプル部の一端部に設けられた軸部又は軸孔部を前記智部に設けられた軸孔部又は軸部に挿入又は嵌合することによって前記智部に回動可能に支持される取付け構造を有する眼鏡フレームにおいて、
前記智部又はテンプル部にはそれらと連続した螺旋状部がその螺旋傾斜面が異なる傾斜の向きで上下方向に二つ設けられており、その螺旋状部の中心部に形成される孔状部で前記軸孔部を構成しており、
前記テンプル部又は智部の一端部には前記智部又はテンプル部の軸孔部に対応して挿入又は嵌合される軸部が二つ設けられており、
前記テンプル部は、前記軸部または軸孔部が形成される側の端部に向かう途中から弾性部材によって二股に分岐されて二股連結部が形成され、この二股連結部の先端部にそれぞれ前記軸部または前記軸孔部が形成されており、
前記螺旋状部の螺旋傾斜面は、前記テンプル部の軸部または軸孔部が前記智部の軸孔部または軸部に嵌合される際に、前記二股連結部の弾性力によって、前記軸部が形成されている部材に、前記軸孔部の軸方向へ附勢力が加えられるものである
ことを特徴とする眼鏡フレーム。
【請求項２】
請求項１に記載の眼鏡フレームにおいて、前記智部は、１本の連続した部材で形成されたものであることを特徴とする眼鏡フレーム。
【請求項３】
請求項２に記載の眼鏡フレームにおいて、前記智部は、１本の連続した部材の長手方向の略中点部分を折り返すようにして折り曲がった略ループ状に形成され、その両端部が眼鏡レンズ外側縁部に直接又は間接に固定するように形成されるとともに、前記ループを形成するための折曲部と前記両端部との中間部における相対向する二つの部位にそれぞれ前記螺旋状部が形成されていることを特徴とする眼鏡フレーム。
【請求項４】
請求項３に記載の眼鏡フレームにおいて、前記折曲部によって前記テンプルの回動を規制するストッパーを構成することを特徴とする眼鏡フレーム。
【請求項５】
請求項１ないし４に記載の眼鏡フレームにおいて、前記二股連結部は、二股の間に挾持される調節部材を有し、この調節部材の挾持位置を変えることによって、前記軸部によって軸孔の軸方向に加えられる附勢力を調節可能にしたことを特徴とする眼鏡フレーム。
【発明の詳細な説明】
【０００１】
【発明の属する技術分野】
本発明は、眼鏡レンズ外側縁部に直接又は間接に固定される智部にテンプルを回動可能に支持する取付け構造を有する眼鏡フレームに関する。
【０００２】
【従来の技術】
図６は従来の眼鏡フレームのテンプル取付け構造の概略構成を示す斜視図、図７は従来の眼鏡フレームのテンプル取付け構造の概略構成を示す平面図である。これらの図に示されるように、従来の一般的な眼鏡フレームのテンプル取付け構造は、テンプル１０の一端にろう付けされた丁番１０ａを智部２０にろう付けされた丁番２０ａに嵌合して丁番ネジ２０ｂによって固定することによってテンプル１０を智部２０に回動可能に支持するようにしたものである。なお、智部２０は上側リムロック３０ａにろう付けされ、間接的に眼鏡レンズの外側縁部に固定される。すなわち、上側リムロック３０ａは上側リム４０ａにろう付けされており、この上側リム４０ａは下側リム４０ｂとによって眼鏡レンズ５０を挾持するもので、下側リムにロウ付けされた下側リムロック３０ｂと上記上側リムロック３０ａを突き合わせてリムロックねじ６０によって固定されるものである。
【０００３】
【発明が解決しようとする課題】
しかしながら、上述の従来の眼鏡フレームのテンプル取付け構造は、テンプル１０や智部２０の外に、丁番１０ａ及び２０ａや、これらを嵌合してとめる丁番ねじ２０ｂ等の小型精密な部品が必要であり、部品点数が多いとともに、これらをろう付けする工程等が必要であることから製造も必ずしも容易でなく、しかもフレームの軽量化や斬新なデザインの採用等には限界のあるものであった。
【０００４】
本発明は、上述の背景のもとでなされたものであり、部品点数が少なく製造が容易で軽量化や斬新なデザインの採用も容易である眼鏡フレームのテンプル取り付け構造を提供することを目的とする。
【０００５】
【課題を解決するための手段】
上記課題を解決するための手段として、第１の発明は、
眼鏡レンズ外側縁部に直接又は間接に固定される智部と、
該智部に回動可能に支持されるテンプル部とを有し、
前記テンプル部は、該テンプル部の一端部に設けられた軸部又は軸孔部を前記智部に設けられた軸孔部又は軸部に挿入又は嵌合することによって前記智部に回動可能に支持される取付け構造を有する眼鏡フレームにおいて、
前記智部又はテンプル部にはそれらと連続した螺旋状部がその螺旋傾斜面が異なる傾斜の向きで上下方向に二つ設けられており、その螺旋状部の中心部に形成される孔状部で前記軸孔部を構成しており、
前記テンプル部又は智部の一端部には前記智部又はテンプル部の軸孔部に対応して挿入又は嵌合される軸部が二つ設けられており、
前記テンプル部は、前記軸部または軸孔部が形成される側の端部に向かう途中から弾性部材によって二股に分岐されて二股連結部が形成され、この二股連結部の先端部にそれぞれ前記軸部または前記軸孔部が形成されており、
前記螺旋状部の螺旋傾斜面は、前記テンプル部の軸部または軸孔部が前記智部の軸孔部または軸部に嵌合される際に、前記二股連結部の弾性力によって、前記軸部が形成されている部材に、前記軸孔部の軸方向へ附勢力が加えられるものである
ことを特徴とする眼鏡フレームである。
【０００６】
第２の発明は、第１の発明にかかる眼鏡フレームにおいて、前記智部は、１本の連続した部材で形成されたものであることを特徴とする眼鏡フレームである。
【０００７】
第３の発明は、第２の発明にかかる眼鏡フレームにおいて、前記智部は、１本の連続した部材の長手方向の略中点部分を折り返すようにして折り曲がった略ループ状に形成され、その両端部が眼鏡レンズ外側縁部に直接又は間接に固定するように形成されるとともに、前記ループを形成するための折曲部と前記両端部との中間部における相対向する二つの部位にそれぞれ前記螺旋状部が形成されていることを特徴とする眼鏡フレームである。
【０００８】
第４の発明は、第３の発明にかかる眼鏡フレームにおいて、前記折曲部によって前記テンプルの回動を規制するストッパーを構成することを特徴とする眼鏡フレームである。
【０００９】
第５の発明は、第１ないし４のいずれかの発明にかかる眼鏡フレームにおいて、前記二股連結部は、二股の間に挾持される調節部材を有し、この調節部材の挾持位置を変えることによって、前記軸部によって軸孔の軸方向に加えられる附勢力を調節可能にしたことを特徴とする眼鏡フレームである。
【００１３】
上述の発明にあっては、智部又はテンプル部の軸孔部を、塑性加工が可能な線材又は棒材を折り曲げて、又は鋳造によって、螺旋状部を形成し、その螺旋状部の中心部に形成される孔状部で構成するようにしたことによって、丁番や、丁番ねじ等の小型精密な部品を不要とし、しかも、ろう付け工程等の工程数を減らすことが可能となった。また、智部全体を１本の連続した線材又は棒材を折り曲げ加工して形成するようにすれば、軽量化や斬新なデザインの採用が容易になる。またその際、１本の連続した線材又は棒材の長手方向の略中点部分を折り返すようにして折り曲げて略ループ状に形成し、そのループを形成するための折曲部と前記両端部との中間部における相対向する二つの部位にそれぞれ前記螺旋状部を形成するようにすれば、折曲部によってテンプルの回動を規制するストッパーを兼ねることもできる。さらに、テンプル部の連結部を二股連結部にしてその弾性力で軸部によって軸孔部の軸方向に附勢力が加えられるようにすれば安定した支持が可能でしかも取り外しも容易なものとすることができる。さらに、二股連結部の二股の間に挾持される調節部材を用いることにより、軸部によって軸孔の軸方向に加えられる附勢力を調節可能にし、支持具合や回動具合を容易に最良に調節することが可能になる。
【００１４】
【発明の実施の形態】
以下、本発明の実施の形態を図面に基づいて説明する。図１は本発明の実施形態にかかる眼鏡フレームのテンプル取り付け構造を示す側面図、図２は本発明の実施形態にかかる眼鏡フレームのテンプル取り付け構造を示す平面図、図３は本発明の実施形態にかかる眼鏡フレームのテンプル取り付け構造を示す斜視図、図４はテンプルを智部から取り外した状態を示す図である。なお、この実施の形態は、本発明を、リムを用いずに智部やブリッジをレンズに直接固定する方式のいわゆるリムレスフレームに適用した例である。
【００１５】
図において、符号１がテンプル、符号２が智部であり、テンプル１が取り付け金具３を介してレンズ５に固定された智部２に回動可能に支持されている。
【００１６】
テンプル１は、太さが０．８ｍｍ〜２ｍｍ程度、好ましくは太さ約１ｍｍ程度のチタン線材を折り曲げ加工して略テンプル形状にした第１部材１ａと、この第１部材１ａのほぼ中央部から一方の端部に向けてにその一部を平行に沿わせてろう付けし、端部に向かう途中から第１部材１ａとで二股になるように折り曲げて基部１ａから離間させた第２部材１ｂとで構成されている。
【００１７】
第１部材１ａと第２部材１ｂとが離間している部分は二股連結部Ａであり、第１部材１ａの端部が上方に略垂直に折り曲げられて第１軸部１ｃが形成され、第２部材１ｂの端部が下方に略垂直に折り曲げられて第２軸部１ｄが形成されている。
【００１８】
二股連結部Ａには、二股の間に調節部材４が挾持されている。図４に示されるように、この調節部材４はその挾持位置を変えることによって、二股連結部Ａの離間距離を調節できるようになっており、これにより、後述するように第１、第２軸部１ｃ，１ｄの外側への附勢力を調節できるようになっている。
【００１９】
智部２は、太さが０．８ｍｍ〜２．０ｍｍ程度、好ましくは太さ約１ｍｍの１本のチタン線材をの長手方向の略中点部分を折り返すようにして折り曲げて略ループ状に形成し、その両端部２ａ，２ｂを揃えて取り付け金具３にろう付けし、ループを形成するための折曲部２ｃと前記両端部との中間部における相対向する二つの部位にそれぞれ螺旋状部２ｄ，２ｅを形成したものである。
【００２０】
図４に示されるように、前記螺旋状部２ｄ，２ｅのそれぞれの中心部には第１軸孔部２ｆ及び第２軸孔部２ｇが形成されている。これら第１軸孔部２ｆ及び第２軸孔部２ｇにはそれぞれテンプル１の第１軸部１ｃ及び第２軸部１ｄが嵌合されている。そして、これら第１軸部１ｃ及び第２軸部１ｄは二股連結部Ａの弾性力によって軸孔部の外方向（上下方向）に附勢力が加えられている。
【００２１】
図５に示されるように、第１螺旋状部２ｄ及び第２螺旋状部２ｅの巻き方を選定する事によって、テンプル１に内向きの力又は外向きの力のいずれかが加わるように設定することができる。すなわち、テンプル１の二股連結部Ａには外向きの附勢力が常時加わっているので、この二股連結部Ａにおける第１部材１ａ（第２部材１ｂ）は螺旋状部２ｆ（２ｇ）の螺旋傾斜面に沿って移動しようとする。その移動しようとする力はすなわちテンプル１をいずれかに回動しようとする力に外ならない。したがって、この螺旋傾斜面の傾斜の向きを選定することによってテンプル１に内向きの力又は外向きの力のいずれかが加わるように設定することができる。
【００２２】
また、折曲部２ｃは、テンプル１の回動を規制するストッパーを構成する。
【００２３】
取り付け金具３は、中央部に智部２の両端部２ａ，２ｂがろう付けされ、その両側にそれぞれ貫通孔が設けられ、これら貫通孔を通じて固定ピン３ａ，３ｂが眼鏡レンズ５中に挿入・接着されて眼鏡レンズ５に直接固定されている。なお、２つの眼鏡レンズ５をつなぐブリッジ７も同様にして眼鏡レンズ５に直接固定されている。
【００２４】
上述の眼鏡フレームのテンプル取付け構造には、以下の利点がある。
【００２５】
（１）智部の軸孔部を、塑性加工が可能な線材又は棒材を折り曲げて螺旋状部を形成し、その螺旋状部の中心部に形成される孔状部で構成するようにしたことによって、丁番や、丁番ねじ等の小型精密な部品を不要とし、しかも、ろう付け工程等の工程数を減らすことが可能となった。
【００２６】
（２）智部全体を１本の連続した線材又は棒材を折り曲げ加工して形成するようにしたので、軽量化や斬新なデザインの採用が極めて容易になった。
【００２７】
（３）１本の連続した線材又は棒材の長手方向の略中点部分を折り返すようにして折り曲げて略ループ状に形成し、そのループを形成するための折曲部と前記両端部との中間部における相対向する二つの部位にそれぞれ前記螺旋状部を形成するようにしたので、折曲部によってテンプルの回動を規制するストッパーを兼ねることもできた。
【００２８】
（４）テンプル部の連結部を二股連結部にしてその弾性力で軸部によって軸孔部の軸方向に附勢力が加えられるようにしたので、安定した支持が可能でしかも取り外しも容易なものとすることができた。さらには、螺旋状部の螺旋傾斜の向きを選定することによりテンプルに内向き又は外向きの力が常時加わるようにすることができる。特に、通常の従来のメタルフレームでは、頭部をやわらかく抱くようにテンプルを微妙に内向きに折り曲げるという、職人の勘に頼るようなフィッテイング作業が行われていたが、本件発明では、その適度な内向きの力を構造的に自然に発現させることが可能となっており、好ましい装着感を与えている。また、外向きの力が加わるように設定した場合には、眼鏡ケースのフレームを折り畳んだ状態から取り出す際に、自然に両テンプルが跳ね上がるので無理な力を必要としない。なお、内向き又は外向きの力の調整は、線材の材料や太さの選定、あるいは軸孔の形状の選定等で容易に調整可能である。
【００２９】
（５）二股連結部の二股の間に挾持される調節部材を用いたので、軸部によって軸孔の軸方向に加えられる附勢力を調節可能にし、支持具合や回動具合を容易に最良に調節することが可能になった。すなわち、半永久的にテンプルのあがきと呼ばれる回動状態を適切に保つことが可能になった。
【００３０】
なお、上述の実施の形態では、テンプルや智部をチタン線材で構成する例を掲げたが、これは、ニッケル合金、銅合金、もしくはプラスチック材料等で構成することもできる。
【００３１】
また、上述の実施の形態では、軸孔部を智部に形成し、軸部をテンプルに形成した例を掲げたが、これは逆に、軸孔部をテンプルに形成し、軸部を智部に形成してもよい。
【００３２】
【発明の効果】
以上説明したように、本発明は、螺旋状部をその螺旋傾斜面が異なる傾斜の向きで上下に二つ設け、この傾斜面を、軸部が形成されている部材に二股連結部の弾性力により軸孔部の軸方向へ附勢力が加えられることによってテンプル部に内向き又は外向きの力が加わるように構成したもので、これにより、部品点数が少なく、製造が容易で軽量化や斬新なデザインの採用も容易である眼鏡フレームを得ているものである。
【図面の簡単な説明】
【図１】  本発明の実施形態にかかる眼鏡フレームのテンプル取り付け構造を示す側面図である。
【図２】  本発明の実施形態にかかる眼鏡フレームのテンプル取り付け構造を示す平面図である。
【図３】  本発明の実施形態にかかる眼鏡フレームのテンプル取り付け構造を示す斜視図である。
【図４】  テンプルを智部から取り外した状態を示す図である。
【図５】  螺旋状部作用説明図である。
【図６】  従来の眼鏡フレームのテンプル取付け構造を示す分解斜視図である。
【図７】  従来の眼鏡フレームのテンプル取付け構造を示す平面図である。
【符号の説明】
１…テンプル
１ａ…第１部材
１ｂ…第２部材
１ｃ…第１軸部
１ｄ…第２軸部
２…智部
２ａ…端部
２ｂ…端部
２ｃ…折曲部
２ｄ…第１螺旋状部
２ｅ…第２螺旋状部
２ｆ…第１軸孔部
２ｇ…第２軸孔部
３…取付け金具
３ａ，３ｂ…固定ピン
４…調節部材
５…眼鏡レンズ
７…ブリッジ
【図１】
0003679920.tif 000002
【図２】
0003679920.tif 000003
【図３】
0003679920.tif 000004
【図４】
0003679920.tif 000005
【図５】
0003679920.tif 000006
【図６】
0003679920.tif 000007
【図７】
0003679920.tif 000008